(57)【要約】【課題】  低速度通信回線を用いながらにして、携帯電話機のメモリに記憶された大量のデータの中から所望のデータを高速かつ低消費電力で検索可能とする。【解決手段】  携帯電話機１の大容量メモリ１３に記憶しているデータと同じデータを、ユーザの自宅のパーソナルコンピュータ装置２のＨＤＤ２２に記憶しておき、携帯電話機１の大容量メモリ１３に記憶されているデータの中から所望のデータを検索する際に、この検索を行うデータに対応する検索式をパーソナルコンピュータ装置２に送信する。そして、パーソナルコンピュータ装置２側で、上記検索式に対応するデータをＨＤＤ２２から検索し、この検索結果を携帯端末装置１に返信する。すなわち、携帯電話機１側で行う検索処理を処理能力の高いパーソナルコンピュータ装置２に代行させ、この検索結果のみを携帯電話機１に返信させる。【選択図】  図１
2007049605.tif 000002
【特許請求の範囲】
【請求項１】
情報の記憶を行う携帯側記憶手段と、
検索を行う所望の情報を指定するための検索要求を、所定のネットワークを介して送信する送信手段と、
上記検索要求を送信するように上記送信手段を送信制御すると共に、この送信手段を介して送信された検索要求に対応して、上記所定のネットワークを介して返信された検索結果を表示手段に表示制御する携帯側制御手段と
を備えた携帯端末装置と、
上記携帯端末装置の携帯側記憶手段に記憶されている情報と同じ情報が記憶された検索側記憶手段と、
上記所定のネットワークを介して上記携帯端末装置の送信手段から送信された上記検索要求に応じて上記検索側記憶手段を検索する検索手段と、
上記検索手段で上記検索側記憶手段を検索することで得られた検索結果を上記所定のネットワークを介して上記携帯端末装置に返信する返信手段と、
上記検索要求に応じて上記検索側記憶手段を検索するように上記検索手段を検索制御すると共に、上記検索手段で得られた検索結果を上記携帯端末装置に返信するように上記返信手段を制御する検索側制御手段と
を備えた検索装置と
を有する情報検索システム。
【請求項２】
請求項１に記載の情報検索システムであって、
上記携帯端末装置の上記携帯側制御手段は、上記携帯側記憶手段に記憶されている情報の情報数が所定の情報数以上である場合に、上記検索装置に対して上記検索要求を送信するように上記送信手段を送信制御し、上記携帯側記憶手段に記憶されている情報数が所定の情報数よりも少ない場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする情報検索システム。
【請求項３】
請求項１又は請求項２に記載の情報検索システムであって、
上記携帯端末装置の上記携帯側制御手段は、電源の残量を検出し、この検出した上記電源の残量が所定の残量以下であった場合に上記検索装置に対して上記検索要求を送信するように上記送信手段を送信制御し、上記検出した上記電源の残量が所定の残量よりも多かった場合は、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする情報検索システム。
【請求項４】
請求項１から請求項３のうち、いずれか一項に記載の情報検索システムであって、
上記携帯端末装置は、通信環境を検出する通信環境検出手段を有し、
上記携帯端末装置の携帯側制御手段は、上記通信環境検出手段で検出された通信環境が所定の通信環境よりも良かった場合、上記検索装置に対して上記検索要求を送信するように上記送信手段を送信制御し、上記通信環境検出手段で検出された通信環境が所定の通信環境よりも悪かった場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする情報検索システム。
【請求項５】
請求項１から請求項４のうち、いずれか一項に記載の情報検索システムであって、
上記携帯端末装置の携帯側制御手段は、上記検索要求に対して上記検索装置から返信された上記検索結果が一つの情報のみを示す検索結果であった場合、上記携帯側記憶手段から、この検索結果に対応する情報を読み出し、この読み出した情報に対応する情報処理を実行制御すること
を特徴とする情報検索システム。
【請求項６】
請求項１から請求項５のうち、いずれか一項に記載の情報検索システムであって、
上記携帯端末装置の上記携帯側制御手段は、
上記携帯側記憶手段に記憶されている情報を上記検索装置の上記検索側記憶手段に記憶させた最新の記憶時刻であるバックアップ時刻を上記携帯側記憶手段に記憶制御し、
上記検索要求を送信制御する際に、該検索要求を行う情報の保存時刻である検索情報保存時刻を入力するための入力画面を上記表示手段に表示制御し、
上記入力画面を介して入力された上記検索情報保存時刻と、上記携帯側記憶手段に記憶制御した上記バックアップ時刻とを比較し、上記検索情報保存時刻が上記バックアップ時刻よりも古い時刻を示している場合、上記検索要求を上記検索装置に送信するように上記送信手段を送信制御し、上記検索情報保存時刻が上記バックアップ時刻よりも新しい時刻を示している場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする情報検索システム。
【請求項７】
請求項１から請求項６のうち、いずれか一項に記載の情報検索システムであって、
上記携帯端末装置の上記携帯側制御手段は、当該携帯端末装置が充電器に載置されたことを検出した際に、上記携帯側記憶手段に記憶されている情報を読み出し、この読み出した情報を上記検索装置に送信するように上記送信手段を送信制御し、
或いは、上記携帯端末装置の上記携帯側制御手段は、上記検索装置に接続されている情報読み出し装置に当該携帯端末装置が載置されたことを検出した際に、上記携帯側記憶手段に記憶されている情報を読み出し、この読み出した情報を上記検索装置に転送制御し、
上記検索装置の検索側制御手段は、上記携帯端末装置から送信され或いは転送された上記情報を、上記検索側記憶手段に記憶制御すること
を特徴とする情報検索システム。
【請求項８】
情報の記憶を行う携帯側記憶手段と、
上記携帯側記憶手段に記憶されている情報を、所定のネットワーク上の検索装置に設けられている検索側記憶手段に記憶させるために送信すると共に、ユーザにより検索を行う所望の情報が指定された際に、この指定された情報の検索要求を、上記所定のネットワークを介して上記検索装置に送信する送信手段と、
所定のタイミングで上記携帯側記憶手段に記憶されている情報を上記検索装置に送信し、ユーザにより検索を行う所望の情報が指定された際に、上記検索要求を上記検索装置に送信するように上記送信手段を送信制御すると共に、上記検索要求に基づいて上記検索装置側で上記検索側記憶手段に記憶されている情報が検索されることで、上記所定のネットワークを介して返信された検索結果を表示手段に表示制御する携帯側制御手段と
を有する携帯端末装置。
【請求項９】
請求項８に記載の携帯端末装置であって、
上記携帯側制御手段は、上記携帯側記憶手段に記憶されている情報の情報数が所定の情報数以上である場合に、上記検索装置に対して上記検索要求を送信するように上記送信手段を送信制御し、上記携帯側記憶手段に記憶されている情報数が所定の情報数よりも少ない場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする携帯端末装置。
【請求項１０】
請求項８又は請求項９に記載の携帯端末装置であって、
上記携帯側制御手段は、電源の残量を検出し、この検出した上記電源の残量が所定の残量以下であった場合に上記検索装置に対して上記検索要求を送信するように上記送信手段を送信制御し、上記検出した上記電源の残量が所定の残量よりも多かった場合は、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする携帯端末装置。
【請求項１１】
請求項８から請求項１０のうち、いずれか一項に記載の携帯端末装置であって、
通信環境を検出する通信環境検出手段を有し、
上記携帯側制御手段は、上記通信環境検出手段で検出された通信環境が所定の通信環境よりも良かった場合、上記検索装置に対して上記検索要求を送信するように上記送信手段を送信制御し、上記通信環境検出手段で検出された通信環境が所定の通信環境よりも悪かった場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする携帯端末装置。
【請求項１２】
請求項８から請求項１１のうち、いずれか一項に記載の携帯端末装置であって、
上記携帯側制御手段は、上記検索要求に対して上記検索装置から返信された上記検索結果が一つの情報のみを示す検索結果であった場合、上記携帯側記憶手段から、この検索結果に対応する情報を読み出し、この読み出した情報に対応する情報処理を実行制御すること
を特徴とする携帯端末装置。
【請求項１３】
請求項８から請求項１２のうち、いずれか一項に記載の携帯端末装置であって、
上記携帯側制御手段は、
上記携帯側記憶手段に記憶されている情報を上記検索装置の上記検索側記憶手段に記憶させた最新の記憶時刻であるバックアップ時刻を上記携帯側記憶手段に記憶制御し、
上記検索要求を送信制御する際に、該検索要求を行う情報の保存時刻である検索情報保存時刻を入力するための入力画面を上記表示手段に表示制御し、
上記入力画面を介して入力された上記検索情報保存時刻と、上記携帯側記憶手段に記憶制御した上記バックアップ時刻とを比較し、上記検索情報保存時刻が上記バックアップ時刻よりも古い時刻を示している場合、上記検索要求を上記検索装置に送信するように上記送信手段を送信制御し、上記検索情報保存時刻が上記バックアップ時刻よりも新しい時刻を示している場合、上記検索装置に対する上記検索要求の送信を停止するように上記送信手段を送信停止制御すると共に、上記検索装置に対して送信を停止した上記検索要求に基づいて上記携帯側記憶手段に記憶されている情報を検索制御し、この検索結果を上記表示手段に表示制御すること
を特徴とする携帯端末装置。
【請求項１４】
請求項８から請求項１３のうち、いずれか一項に記載の携帯端末装置であって、
上記携帯側制御手段は、当該携帯端末装置が充電器に載置されたことを検出した際に、上記携帯側記憶手段に記憶されている情報を読み出し、この読み出した情報を上記検索装置の検索側記憶手段に記憶させるための情報として送信するように上記送信手段を送信制御すること
を特徴とする携帯端末装置。
【請求項１５】
携帯端末装置の携帯側記憶手段に記憶されている情報と同じ情報を、所定のネットワーク上の検索装置に設けられた検索側記憶手段に記憶しておき、
上記携帯端末装置から、検索を行う所望の情報を指定する検索要求を上記ネットワークを介して上記検索装置に送信し、
上記検索装置側において、上記検索要求に基づいて上記検索側記憶手段を検索し、この検索結果を上記携帯端末装置に返信し、
上記携帯端末装置側において、上記返信された検索結果を表示手段に表示すること
を特徴とする情報検索方法。
【発明の詳細な説明】
【技術分野】
【０００１】
本発明は、例えば半導体メモリやハードディスク等の大容量の記憶手段を備えた携帯電話機、ＰＨＳ電話機（PHS：Personal Handyphone System）、ＰＤＡ装置（PDA：Personal Digital Assistant）、ノート型のパーソナルコンピュータ装置、音楽プレーヤ装置等の携帯端末装置において、上記記憶手段に記憶された大量の情報の中から所望の情報の検索を行う情報検索システム、携帯端末装置及び情報検索方法に関する。
【背景技術】
【０００２】
従来、携帯電話機が取り扱うデータの種類は少なく、また、データ量も小さいものであったため、設けられるメモリも小容量のメモリが設けられていた。メモリが小容量の場合、記憶場所もそれ程複雑とはならず、また、記憶されるデータ数もそれ程多くはならないため、ユーザがデータの保存場所を記憶しておくことは容易であった。また、ユーザがデータの保存場所を記憶していなくても、ユーザ自身でメモリの検索を行えば、極短時間で所望のデータを検索することは可能であった。
【０００３】
これに対して、今日において普及している携帯電話機は、音楽プレーヤ機能、カメラ機能、ストリーミング機能等の様々な機能が設けられており、これら各機能に基づいて、音楽データ、静止画像データ、動画像データ、ストリーミングビデオデータ等のデータ量の大きなデータを取り扱うようになっている。このため、今日において普及している携帯電話機は、このような取り扱い可能なデータの種類やデータ量の増加に伴い、大容量のメモリを備えるようになってきている。
【０００４】
しかし、この大容量のメモリに対して多くのデータが記憶されるようになると、メモリ内のどこに所望のデータが記憶されているかをユーザが記憶しておくことは困難となり、また、ユーザ自身でメモリ内から所望のデータを検索することは困難となっていた。このため、多くのデータの中から所望のデータを検索するための検索機能を必要としていた。
【０００５】
ここで、所望のデータの検索を行うシステムとして、特開２００２−２１５６３２号の公開特許公報（特許文献１）において、商店街、テレビ、ラジオ等で身の回りに流れている音楽の曲名、アーティスト名等の音楽情報を、携帯端末を用いて検索する「携帯端末を用いた音楽検索システム」が開示されている。
【０００６】
この携帯端末を用いた音楽検索システムは、ユーザが商店街、テレビ、ラジオ等で音楽を耳にすることで、その音楽に関する情報を知りたいと思った際に、自分の携帯端末を用いて、その気になる音楽を録音し、この録音した音楽データを通信ネットワークを介して音楽検索サーバに送信して問い合わせを行う。
【０００７】
音楽検索サーバは、この問い合わせのあった音楽データと、予めデータベースに登録されている音楽特徴データとを照合し、この照合結果に基づいて、データベースに登録された音楽情報を検索することで、ユーザにより問い合わせのあった音楽の曲名、アーティスト名、収録アルバム名等の情報を検索する。そして、この検索結果を信頼度の高い順に並べてユーザの携帯端末に返信する。これにより、ユーザは、問い合わせた音楽に関する情報を得ることができる。
【０００８】
【特許文献１】特開２００２−２１５６３２号公報（第７頁〜第８頁：図２、図６）
【発明の開示】
【発明が解決しようとする課題】
【０００９】
しかし、特許文献１に開示されている携帯端末を用いた音楽検索システムの場合、上記検索結果として音楽検索サーバから受け取ることができる情報は、上記問い合わせを行った音楽データに関する情報である。すなわち、ユーザが録音して音楽検索サーバに送信した音楽データに対応する曲名、アーティスト名、収録アルバム名等の「音楽データに関する情報のみ」を受け取ることができる。
【００１０】
そして、音楽データ自体は、音楽検索サーバ側にのみ保存されているため、音楽データ自体を受け取るためには、新たにこの音楽データの配信手続きをとり、該音楽データを音楽検索サーバからダウンロードする必要がある。この場合、音楽データは、大きなデータ量となるため、ユーザにストレスを感じさせることなく音楽データのダウンロードを可能とするためには、音楽検索システムとして高い通信速度を用意する必要がある。
【００１１】
なお、携帯電話機側に大容量のメモリを設け、このメモリに大量の音楽データを記憶しておくことで、音楽データのダウンロードを不要とし、上記高い通信速度を必要とすることなく、携帯電話機側で所望の音楽データを検索することが可能となるが、この場合、携帯電話機に設けられているＣＰＵは処理能力が低いため、メモリに記憶されている大量の音楽データから所望の音楽データを検索するのに長時間を要することとなるうえ、この検索のために相当の電力を消費する。携帯電話機の場合、電源として電池が用いられているため、消費電力を極力抑えることが重要である。
【００１２】
本発明は上述の課題に鑑みてなされたものであり、高い通信速度を必要とすることなく、低消費電力で、大量の情報の中から所望の情報を迅速に検索することができるような情報検索システム、携帯端末装置及び情報検索方法の提供を目的とする。
【課題を解決するための手段】
【００１３】
本発明に係る情報検索システムは、上述の課題を解決するための手段として、
情報の記憶を行う携帯側記憶手段と、
検索を行う所望の情報を指定するための検索要求を、所定のネットワークを介して送信する送信手段と、
上記検索要求を送信するように上記送信手段を送信制御すると共に、この送信手段を介して送信された検索要求に対応して、上記所定のネットワークを介して返信された検索結果を表示手段に表示制御する携帯側制御手段と
を備えた携帯端末装置と、
上記携帯端末装置の携帯側記憶手段に記憶されている情報と同じ情報が記憶された検索側記憶手段と、
上記所定のネットワークを介して上記携帯端末装置の送信手段から送信された上記検索要求に応じて上記検索側記憶手段を検索する検索手段と、
上記検索手段で上記検索側記憶手段を検索することで得られた検索結果を上記所定のネットワークを介して上記携帯端末装置に返信する返信手段と、
上記検索要求に応じて上記検索側記憶手段を検索するように上記検索手段を検索制御すると共に、上記検索手段で得られた検索結果を上記携帯端末装置に返信するように上記返信手段を制御する検索側制御手段と
を備えた検索装置と
を有する。
【００１４】
また、本発明に係る携帯端末装置は、上述の課題を解決するための手段として、
情報の記憶を行う携帯側記憶手段と、
上記携帯側記憶手段に記憶されている情報を、所定のネットワーク上の検索装置に設けられている検索側記憶手段に記憶させるために送信すると共に、ユーザにより検索を行う所望の情報が指定された際に、この指定された情報の検索要求を、上記所定のネットワークを介して上記検索装置に送信する送信手段と、
所定のタイミングで上記携帯側記憶手段に記憶されている情報を上記検索装置に送信し、ユーザにより検索を行う所望の情報が指定された際に、上記検索要求を上記検索装置に送信するように上記送信手段を送信制御すると共に、上記検索要求に基づいて上記検索装置側で上記検索側記憶手段に記憶されている情報が検索されることで、上記所定のネットワークを介して返信された検索結果を表示手段に表示制御する携帯側制御手段と
を有する。
【００１５】
また、本発明に係る情報検索方法は、上述の課題を解決するために、
携帯端末装置の携帯側記憶手段に記憶されている情報と同じ情報を、所定のネットワーク上の検索装置に設けられた検索側記憶手段に記憶しておき、
上記携帯端末装置から、検索を行う所望の情報を指定する検索要求を上記ネットワークを介して上記検索装置に送信し、
上記検索装置側において、上記検索要求に基づいて上記検索側記憶手段を検索し、この検索結果を上記携帯端末装置に返信し、
上記携帯端末装置側において、上記返信された検索結果を表示手段に表示する。
【００１６】
このような本発明は、携帯端末装置の携帯側記憶手段に記憶されている情報と同じ情報を、所定のネットワーク上の検索装置に設けられた検索側記憶手段に記憶しておく。そして、携帯端末装置から、検索を行う所望の情報を指定する検索要求を上記ネットワークを介して上記検索装置に送信する。検索装置側では、この検索要求に基づいて、当該検索装置側の検索側記憶手段を検索し、この検索結果を上記携帯端末装置に返信する。携帯端末装置側では、この検索装置から返信された検索結果を表示手段に表示する。
【００１７】
本発明は、携帯端末装置から検索装置に対して、所望の情報の検索を指定する「検索要求」が送信され、検索装置から携帯端末装置に対して「検索結果に対応する情報そのもの」が返信されるのではなく、「検索結果のみ」が返信されるため、検索装置と携帯端末装置との間の通信速度が低い場合でも、ユーザにストレスを与えることなく高速に「検索要求」及び「検索結果」の通信を可能とすることができる。
【００１８】
また、検索装置側で所望の情報の検索処理を実行するようになっているため、携帯端末装置側の電源が、この検索処理で大量に消費される不都合を防止することができる。
【００１９】
また、検索装置側の高速な検索手段を用いて検索処理を実行するようになっているため、携帯端末装置側の検索を行う場合よりも高速で、大量の情報の中から所望の情報を検索することができる。
【発明の効果】
【００２０】
本発明は、高い通信速度を必要とすることなく、低消費電力で、大量の情報の中から所望の情報を迅速に検索することができる。
【発明を実施するための最良の形態】
【００２１】
本発明は、携帯電話機内のデータ検索を行うデータ検索システムに適用することができる。
【００２２】
［システム構成］
この本発明の実施の形態となるデータ検索システムは、図１に示すようにユーザの携帯電話機１と、ユーザの自宅のパーソナルコンピュータ装置２とを、インターネットや上記携帯電話機１の通信事業者のコミュニケーションネットワーク等のネットワーク３を介して相互に接続することで構成されている。ネットワーク３には、上記通信事業者の無線基地局４が設けられており、ユーザは、この無線基地局４を介して携帯電話機１とパーソナルコンピュータ装置２との間で通信を行うようになっている。
【００２３】
携帯電話機１は、上記無線基地局４との間で無線通信を行うアンテナ１１及び通信回路１２と、例えばスケジュール帳、電話帳、アドレス帳、音楽データ、静止画像データ、動画像データ、送受信した電子メールデータ等の各種データが記憶されたハードディスクドライブ（ＨＤＤ）や半導体外部メモリ等の大容量メモリ１３と、文字や画像の表示を行うための表示部１４とを有している。
【００２４】
また、携帯電話機１は、文字やコマンド等の入力操作を行うための操作部１５と、通信プログラムや後述するデータの検索を行うための検索プログラム等が記憶されたメモリ１６と、当該携帯電話機の各部に電力を供給する電源回路１７と、通信環境を監視する通信環境検出部１８と、上記メモリ１６に記憶されている通信プログラムに基づいて通信制御を行い、また、該メモリ１６に記憶されている検索プログラムに基づいて後述するデータ検索制御を行う他、当該携帯電話機１全体の動作を制御する制御部１９とを有している。
【００２５】
ユーザの自宅のパーソナルコンピュータ装置２は、上記ネットワークを介してユーザの携帯電話機１との間で通信を行うための通信回路２１と、ユーザの携帯電話機１の大容量メモリ１３に記憶されているデータと同じデータが記憶されたハードディスクドライブ（ＨＤＤ）２２と、このＨＤＤ２２内のデータを検索するための検索プログラムのや、携帯電話機１との間で通信を行うための通信プログラム等が記憶されたメモリ２３とを有している。
【００２６】
また、ユーザの自宅のパーソナルコンピュータ装置２は、上記メモリ２３に記憶されている検索プログラムに基づいて上記ＨＤＤ内のデータを検索する検索部２４と、周辺機器との接続を図るためのインターフェイス部２５（Ｉ／Ｆ）と、当該パーソナルコンピュータ装置２全体の動作を制御する制御部２６とを有している。
【００２７】
［システム動作］
〔データの同期〕
このようなデータ検索システムを用いて所望のデータの検索を行う場合、まず、携帯電話機１の大容量メモリ１３に記憶されているデータと同じデータを、ユーザの自宅のパーソナルコンピュータ装置２に記憶（＝コピー）させ、この携帯電話機１とパーソナルコンピュータ装置２との間でデータの同期をとっておく必要がある。当該実施の形態の検索システムの場合、ユーザが意識することなく自動的に、このデータの同期が図られるようになっている。
【００２８】
（クレードル装置を用いたデータの同期）
具体的には、パーソナルコンピュータ装置２には、Ｉ／Ｆ２５を介してクレードル装置３０が接続されている。このクレードル装置３０は、ユーザの携帯電話機１が載置されると、該携帯電話機１の制御部１９に対して大容量メモリ１３に記憶されている各種データの転送要求を行う。携帯電話機１の制御部１９は、この転送要求がなされると、大容量メモリ１３に記憶されている各種データを読み出し、これらをクレードル装置３０に転送する。
【００２９】
クレードル装置３０は、携帯電話機１から各種データの転送がなされると、この転送された各種データをＩ／Ｆ２５を介してパーソナルコンピュータ装置２側に転送する。パーソナルコンピュータ装置２の制御部２６は、このクレードル装置３０から転送された各種データをＨＤＤ２２に書き込み制御する。これにより、ユーザの携帯電話機１の大容量メモリ１３に記憶されているデータと、ユーザのパーソナルコンピュータ装置２のＨＤＤ２２に記憶されたデータの同期が図られることとなる。
【００３０】
なお、制御部２６は、ＨＤＤ２２に既にデータが記憶されている場合、既存のデータに対して新たなデータを上書き処理し、又は既存のデータと新たなデータとの差のデータのみを書き込み制御し、或いは既存のデータに対して新たなデータを並記する。これにより、携帯電話機１の大容量メモリ１３に記憶されているデータと同じデータが、ユーザのパーソナルコンピュータ装置２のＨＤＤ２２に記憶されることとなる。
【００３１】
（充電時におけるデータの同期）
或いは、このデータの同期は、携帯電話機１の充電時に図るようにしてもよい。この場合、当該携帯電話機１が充電器に載置される等により充電が開始されたことを検出すると、制御部１９は、大容量メモリ１３に記憶されている各種データを読み出し、これをパーソナルコンピュータ装置２に送信するように通信回路１２を通信制御する。これにより、大容量メモリ１３に記憶されている各種データが、無線基地局４及びネットワーク３を介してユーザのパーソナルコンピュータ装置２に送信されることとなる。
【００３２】
パーソナルコンピュータ装置２の制御部２６は、この携帯電話機１から送信された各種データをＨＤＤ２２に書き込み制御する。これにより、ユーザの携帯電話機１の大容量メモリ１３に記憶されているデータと、ユーザのパーソナルコンピュータ装置２のＨＤＤ２２に記憶されたデータの同期が図られることとなる。
【００３３】
クレードル装置３０に対する携帯電話機１の載置や、充電器に対する携帯電話機１の載置は、ユーザが帰宅等した際に、略々毎日行われるため、携帯電話機１とパーソナルコンピュータ装置２との間におけるデータの同期は、略々毎日図られるようになる（＝パーソナルコンピュータ装置２のＨＤＤ内のデータは、略々毎日更新される。）。
【００３４】
なお、この例では、携帯電話機１に記憶されているデータと同じデータをユーザの自宅のパーソナルコンピュータ装置に記憶することとして説明を進めているが、このユーザの自宅のパーソナルコンピュータ装置の代わりに、上記ネットワーク３上に設けられた、例えば所定のプロバイダのサーバ装置や上記通信事業者のサーバ装置等のデータベースに、携帯電話機１に記憶されているデータと同じデータを記憶するようにしてもよい。
【００３５】
〔検索動作〕
次に、ユーザの携帯電話機１に記憶されているデータと同じデータを、該ユーザの自宅のパーソナルコンピュータ装置に記憶すると、この実施の形態の検索システムを用いた所望のデータの検索が可能となる。
【００３６】
図２及び図３のフローチャートに、当該実施の形態の検索システムにおける、所望のデータの検索動作の流れを示す。この図２及び図３の各フローチャートは、一連の動作の流れを示しており、図２のフローチャートは所望のデータの検索動作の前半の動作の流れを、図３のフローチャートは所望のデータの検索動作の後半の動作の流れを、それぞれ示している。
【００３７】
ユーザは、所望のデータの検索を行う場合、操作部１５を介して動作メニューから「データ検索」を選択操作する。この「データ検索」の選択操作を検出すると、制御部１９は、メモリ１６に記憶されている検索プログラムに基づいて図２のフローチャートに示す処理をスタートさせ、ステップＳ１から処理を開始する。
【００３８】
ステップＳ１では、制御部１９が、例えば「．ｊｐｇ」、「ｕｎｄｏｕｋａｉ」、「ｔａｎｊｙｏｕｂｉ．ｊｐｇ」等の、検索を行うデータに対応する検索式の入力画面を表示部１４に表示制御して処理をステップＳ２に進める。ユーザは、操作部１５を操作することで、この入力画面に対して検索式を入力し、この入力が完了したことを示す決定操作を行うのであるが、ステップＳ２では、制御部１９が、この決定操作の有無に基づいて、検索式の入力が完了したか否かを判別する。そして、制御部１９は、決定操作を検出した地ミングで検索式の入力が完了したものと判別し、処理をステップＳ３に進める。
【００３９】
ステップＳ３では、制御部１９が、当該携帯電話機１とユーザの自宅のパーソナルコンピュータ装置２との間に通信回線を確立するように通信回路１２を通信制御して処理をステップＳ４に進める。ステップＳ４では、制御部１９が、当該携帯電話機１とユーザの自宅のパーソナルコンピュータ装置２との間に通信回線が確立されたか否かを判別する。そして、両者の間に通信回線が確立されたことを検出したタイミングで処理をステップＳ５に進める。
【００４０】
これに対して、両者の間に通信回線が確立されるまでの間、制御部１９は、ステップＳ１２において、接続処理を開始してから経過した時間をカウントする。そして、接続処理を開始してから所定時間が経過した場合（＝タイムアウト）、処理をステップＳ１３に進め、例えば「通信回線を接続することができませんでした。メモリから直接、検索しますか？」等の、パーソナルコンピュータ装置２との間に通信回線を接続することができなかった旨、及び大容量メモリ１３から直接的に所望のデータの検索（＝機器内検索）を行うか否かを問うメッセージを表示部１４に表示制御する。
【００４１】
ユーザは、このメッセージにより、パーソナルコンピュータ装置２との間で通信を行うことができない状態であることを認識すると共に、機器内検索を行うか否かを判断し、この機器内検索を行うか否かを、操作部１５を操作して入力する。制御部１９は、ステップＳ１４において、このユーザからの入力に基づいて、ユーザにより機器内検索が指定されたか否かを判別し、ユーザにより機器内検索が指定されていないと判別した場合、これはパーソナルコンピュータ装置２との間に通信回線を確立することができず、なおかつ、ユーザにより機器内検索が指定されないため、そのままこの図２及び図３の各フローチャートに示す全ての処理を終了する。
【００４２】
これに対して、上記ステップＳ１４において、ユーザにより機器内検索が指定されたものと判別した場合、制御部１９は、処理をステップＳ１５に進め、上記ステップＳ１においてユーザから入力された検索式に基づいて、当該携帯電話機１の大容量メモリ１３に記憶されているデータを検索し、処理を図３のフローチャートのステップＳ１０に進める。
【００４３】
一方、上記ステップＳ４において、当該携帯電話機１とユーザの自宅のパーソナルコンピュータ装置２との間に通信回線が確立されたものと判別して処理をステップＳ５に進めると、制御部１９は、大容量メモリ１３に記憶されているデータ数を検出し、このデータ数が所定のデータ数以上であるか否かを判別する。そして、大容量メモリ１３に記憶されているデータ数が所定のデータ数以上の場合は処理をステップＳ６に進め、大容量メモリ１３に記憶されているデータ数が所定のデータ数よりも少ない場合は処理をステップＳ１７に進める。
【００４４】
大容量メモリ１３に記憶されているデータのデータ数が所定のデータ数よりも少ないということは、機器内検索を行っても、それほど時間や電力を要しないことを意味している。このため、この場合、制御部１９は、例えば「メモリ内のデータ数が少数です。メモリから直接、検索しますか？」等の機器内検索を促すメッセージを表示部１４に表示制御する。ただ、場合によっては、ユーザが自宅のパーソナルコンピュータ装置２から検索を行うことを希望する場合もある。このため、制御部１９は、上記メッセージに対応して、ユーザにより機器内検索が指定された場合は、ステップＳ１５において機器内検索を実行制御し、ユーザにより機器内検索が指定されなかった場合は、処理を図３のステップＳ８へ進める。
【００４５】
次に、ステップＳ５において大容量メモリ１３に記憶されているデータのデータ数が所定のデータ数以上であると判別することで処理をステップＳ６に進めると、制御部１９は、電源回路１７に蓄電されている電力の残量を検出し、この残量が所定の残量以上であるか否かを判別する。そして、上記残量が所定の残量以下の場合は処理をステップＳ７に進め、上記残量が所定の残量よりも多い場合は処理をステップＳ１７に進める。
【００４６】
電源回路１７に蓄電されている電力の残量が所定の残量よりも多いということは、機器内検索で電源回路１７の電力を消費しても、それほど電話通信等に影響しないことを意味している。このため、この場合、制御部１９は、例えば「バッテリの残量が十分あります。メモリから直接、検索しますか？」等の機器内検索を促すメッセージを表示部１４に表示制御する。ただ、場合によっては、前述と同様にユーザが自宅のパーソナルコンピュータ装置２から検索を行うことを希望する場合もある。このため、制御部１９は、上記メッセージに対応して、ユーザにより機器内検索が指定された場合は、ステップＳ１５において機器内検索を実行制御し、ユーザにより機器内検索が指定されなかった場合は、処理を図３のステップＳ８へ進める。
【００４７】
次に、ステップＳ６において電源回路に蓄電されている電力の残量が所定の残量以下であると判別することで処理をステップＳ７に進めると、制御部１９は、通信環境検出部１８で検出されている当該携帯電話機１の現在の通信環境を示す検出出力の取り込みを行う。そして、現在の通信環境が良いと判別した場合は処理を、図３のフローチャートのステップＳ８に進め、現在の通信環境が悪いと判別した場合は処理をステップＳ１７に進める。
【００４８】
ここで、この通信環境検出部１８としては、一例ではあるがＧＰＳセンサ（Global Positioning System）や電界強度検出回路等を用いることができる。通信環境検出部１８としてＧＰＳセンサを用いた場合、このＧＰＳセンサで検出される現在位置に基づいて、所定時間内における移動距離を検出することで移動速度を検出することができる。この移動速度が所定の速度以上である場合（＝高速である場合）、パーソナルコンピュータ装置２との間に確立した通信回線が切断される可能性があるため、制御部１９は、当該携帯電話機１の現在の通信環境は悪いものと判別し、処理をステップＳ１７に進めることとなる。
【００４９】
同様に、通信環境検出部１８として電界強度検出回路を用いた場合、この電界強度検出回路で検出される電界強度が所定の強度以下の場合は、パーソナルコンピュータ装置２との間に確立した通信回線が切断される可能性があるため、制御部１９は、当該携帯電話機１の現在の通信環境は悪いものと判別し、処理をステップＳ１７に進めることとなる。
【００５０】
なお、通信環境検出部１８で、通信に用いている無線基地４を頻繁に切り替えているか否かを判別するようにしてもよい。通信に用いている無線基地局４が頻繁に切り替えられているということは、無線基地局４との間の通信状態が悪いか、或いは当該携帯電話機１が高速で移動中であることを意味する。このため、制御部１９は、通信に用いている無線基地４が頻繁に切り替えられている場合には、当該携帯電話機１の現在の通信環境は悪いものと判別し、処理をステップＳ１７に進めることとなる。
【００５１】
また、上記ＧＰＳセンサで当該携帯電話機１の現在位置を検出する代わりに、通信環境検出部１８が、無線基地局４から受信した現在位置情報に基づいて、所定時間内における移動距離を検出して上記移動速度を検出するようにしてもよい。この場合でも、移動速度が所定の速度以上である場合（＝高速である場合）、パーソナルコンピュータ装置２との間に確立した通信回線が切断される可能性があるため、制御部１９は、当該携帯電話機１の現在の通信環境は悪いものと判別し、処理をステップＳ１７に進めることとなる。
【００５２】
上述の例では、パーソナルコンピュータ装置２に対する接続が完了してから、ステップＳ５におけるデータ数の検出、ステップＳ６における電池残量の検出、及びステップＳ７における通信環境の検出を行うこととしたが、このステップＳ５〜ステップＳ６の処理は、ステップＳ３において当該携帯電話機１とパーソナルコンピュータ装置２との間に通信回線が確立される前に行うようにしてもよい。
【００５３】
ステップＳ７において、現在の通信環境は悪いものと判別すると、制御部１９はステップＳ１７において、例えば「通信環境が悪化しています。メモリから直接、検索しますか？」等の機器内検索を促すメッセージを表示部１４に表示制御する。ただ、場合によっては、前述と同様にユーザが自宅のパーソナルコンピュータ装置２から検索を行うことを希望する場合もある。このため、制御部１９は、上記メッセージに対応して、ユーザにより機器内検索が指定された場合は、ステップＳ１５において機器内検索を実行制御し、ユーザにより機器内検索が指定されなかった場合は、処理を図３のステップＳ８へ進める。
【００５４】
次に、大容量メモリ１３に記憶されているデータのデータ数が所定のデータ数以上で、電源回路１７に蓄電されている電力の残量が所定の残量よりも少なく、かつ、当該携帯電話機１の現在の通信環境が良い場合、制御部１９は、図３のフローチャートのステップＳ８に処理を進め、上記ステップＳ１でユーザから入力された検索式をパーソナルコンピュータ装置２に送信するように通信回路１２を通信制御し、パーソナルコンピュータ装置２に対して検索要求を行う。
【００５５】
ユーザの自宅のパーソナルコンピュータ装置２は、この検索要求を受信すると、制御部２６が、メモリ２３に記憶されている検索プログラムに基づいて動作し、受信した検索式に対応するデータをＨＤＤ２２から検索するように検索部２４を制御する。そして、この検索結果を携帯電話機１に返信するように通信回路２１を通信制御する。
【００５６】
すなわち、上述のように携帯電話機１の大容量メモリ１３及びパーソナルコンピュータ装置２のＨＤＤ２２には、それぞれ同じデータが記憶されている（＝記憶するデータの同期が図られている。）。このため、携帯電話機１側で行うべくデータの検索を、パーソナルコンピュータ装置２側で行うことが可能となる。
【００５７】
また、パーソナルコンピュータ装置２側の制御部２６等の処理速度は、携帯電話機１の制御部１９等の処理速度よりも高速である。このため、この検索処理を高速に行って上記検索結果を形成することができる。
【００５８】
さらに、このパーソナルコンピュータ装置２側の制御部２６は、検索したデータを携帯電話機１に返信するのではなく、例えば検索したデータが記憶されているアドレスや、検索したデータまでのパスを、上記「検索結果」として携帯電話機１に返信するようになっている。このため、携帯電話機１とパーソナルコンピュータ装置２との間の通信回線が低速通信回線である場合でも、上記「検索要求」の受信、及び上記「検索結果」の送信を高速で行うことができる。
【００５９】
なお、上記検索式に対応するデータを検索することができなかった場合、制御部２６は、例えば「データを検索することができませんでした」等のメッセージを上記検索結果として作成し、携帯電話機１に返信する。
【００６０】
また、この例では、携帯電話機１とパーソナルコンピュータ装置との間で上記「検索要求」及び上記「検索結果」を送受信することとしたが、これは、携帯電話機１からパーソナルコンピュータ装置２に対して「検索要求」を行う電子メールを送信し、パーソナルコンピュータ装置２が、この電子メールに基づいて検索を行い、「検索結果」の電子メールを作成して携帯電話機１に返信するようにしてもよい。
【００６１】
次に、図３のフローチャートのステップＳ９において、携帯電話機１の制御部１９は、パーソナルコンピュータ装置２から上記「検索結果」が返信されたか否かを判別する。そして、パーソナルコンピュータ装置２から上記「検索結果」を受信したタイミングで処理をステップＳ１０に進める。
【００６２】
このステップＳ１０の処理は、図２のフローチャートのステップＳ１５において機器内検索を行った場合、及び上記ステップＳ９において、パーソナルコンピュータ装置２から検索結果を受信した場合に実行する処理である。制御部１９は、このステップＳ１０に処理を進めると、上記機器内検索を行ったことで一つのみ検索結果が得られたか否か、或いは上記パーソナルコンピュータ装置２から受信した検索結果が一つのみであるか否かを判別する。
【００６３】
そして、検索結果が複数である場合、制御部１９は処理をステップＳ１１に進め、この検索結果を表示部１４に表示制御して、当該図２及び図３のフローチャートに示す全ての処理を終了する。ユーザは、このように表示部１４に表示された複数の検索結果の中から所望の検索結果を選択して、所望のデータの閲覧や視聴等を行うこととなる。
【００６４】
これに対して、検索結果が一つのみである場合、制御部１９は処理をステップＳ１６に進め、この一つのみの検索結果に対応する処理を直接的に実行制御して、当該図２及び図３のフローチャートに示す全ての処理を終了する。例えば、検索結果として、一つの画像データが検索された場合、制御部１９は、ユーザの表示指定操作を待つことなく、直接的に、この画像データを表示部１４に表示する。同様に、例えば、検索結果として、一つの音楽データが検索された場合、制御部１９は、ユーザの再生指定操作を待つことなく、音楽プレーヤアプリケーションプログラムを起動し、この音楽プレーヤアプリケーションプログラムに基づいて、この検索された音楽データを再生制御する。
【００６５】
これにより、上記検索結果として一つのみのデータが検索された場合は、ユーザがそのデータのデータ処理を指定しなくても自動的にデータ処理を実行することができるため、ユーザによる面倒なデータ処理の指定操作を省略することができる。
【００６６】
なお、この例では、検索結果が一つのみである場合は、この検索結果に対応する処理を直接的に実行することとしたが、これは、検索結果が複数の場合と同様に表示部１４に該検索結果を表示し、ユーザにより実行が指定された際に、該検索結果に対応する処理を実行するようにしてもよい。
【００６７】
〔変形例〕
上述の実施の形態の説明では、携帯電話機１からパーソナルコンピュータ装置２に対して、検索要求と共に「検索式」を送信することとしたが、これは、検索要求と共に「検索式及び検索を行うデータを保存した時刻を示す検索情報保存時刻」を送信することで、より効率的な検索動作が可能となる。
【００６８】
この場合、図４のフローチャートのステップＳ２１において、携帯電話機１の制御部１９は、まず、検索を行うデータの検索式、及び検索を行うデータを保存した時刻を示す検索情報保存時刻の入力画面を表示部１４に表示制御する。
【００６９】
ユーザは、この入力画面に対して上記検索式及び検索情報保存時刻の入力を行うのであるが、制御部１９は、ステップＳ２２において、この検索式及び検索情報保存時刻の入力が完了したか否かを判別し、該入力の完了を検出したタイミングで処理をステップＳ２３に進める。
【００７０】
ステップＳ２３では、制御部１９が、ユーザにより入力された検索情報保存時刻と、大容量メモリ１３に記憶されているデータをパーソナルコンピュータ装置２のＨＤＤ２２に記憶させた最新の記憶時刻であるバックアップ時刻とを比較し、上記検索情報保存時刻は上記バックアップ時刻よりも古い時刻であるか否かを判別する。
【００７１】
すなわち、携帯電話機１の制御部１９は、上述のようにクレードル装置３０に載置されたことを検出し、或いは充電が開始されたことを検出すると、大容量メモリ１３に記憶されているデータをパーソナルコンピュータ装置２に転送（送信）するのであるが、この際、このデータの転送時刻（送信時刻）を、大容量メモリ１３に記憶されているデータのバックアップが行われた時刻（＝バックアップ時刻）としてメモリ１６或いは大容量メモリ１３に記憶制御する。そして、上記ステップＳ２１においてユーザから検索情報保存時刻が入力された際に、上記ステップＳ２３において、上記メモリ１６或いは大容量メモリ１３に記憶しておいたバックアップ時刻を読み出して上記検索情報保存時刻と比較し、該検索情報保存時刻はバックアップ時刻よりも古い時刻であるか否かを判別する。
【００７２】
このステップＳ２３において、上記検索情報保存時刻が上記バックアップ時刻よりも古い時刻を示している場合、バックアップされたデータの中に、ユーザが検索を希望するデータが含まれている可能性が高いため、制御部１９は、図２のフローチャートのステップＳ３に処理を進め、上述のようにパーソナルコンピュータ装置２との間に通信回線を確立制御し、ステップＳ５〜ステップＳ６を経て、図３のフローチャートのステップＳ８において、ユーザから入力された検索式を検索要求と共にパーソナルコンピュータ装置２に送信する。これにより、上述と同様にパーソナルコンピュータ装置２側でデータの検索が行われ、この検索結果が携帯電話機１に返信されることとなる。
【００７３】
これに対して、上記ステップＳ２３において、上記検索情報保存時刻が上記バックアップ時刻よりも新しい時刻を示している場合、バックアップされたデータの中に、ユーザが検索を希望するデータが含まれている可能性が非常に低い。このため、制御部１９は、図２のフローチャートのステップＳ１３に処理を進め、パーソナルコンピュータ装置２との間の通信回線の確立を停止すると共に、該パーソナルコンピュータ装置２に対する検索要求、検索式及び検索情報保存時刻の送信を停止するように通信回路１２を通信停止制御する。
【００７４】
そして、例えば「検索するデータがバックアップされていない可能性があります。」等のメッセージを表示部１４に表示することで、バックアップされているデータよりも保存時刻が新しいデータの検索指定を行ったことをユーザに対して認識させて処理をステップＳ１４に進める。
【００７５】
このステップＳ１４では、制御部１９は、上述のように機器内検索を行うか否かのメッセージを表示部１４に表示制御するのであるが、このメッセージに対応して、ユーザが尚もデータの検索を指定した場合は、ステップＳ１５において機器内検索を実行制御し、ユーザが機器内検索を指定しない場合には、そのままこの図２〜図４のフローチャートに示す全ての処理を終了する。
【００７６】
このように、検索式を入力する際に、ユーザに対して検索を希望するデータを保存した時刻を示す検索情報保存時刻を入力させ、この検索情報保存時刻と最新のバックアップ時刻とを比較することで、パーソナルコンピュータ装置２に対して検索を実行させる前に、該検索が有効に実行されるか否かを判断することができる。このため、検索が有効に実行される可能性が低いにもかかわらず、携帯電話機１とパーソナルコンピュータ装置との間の通信回線を確立してしまい、無駄な通信が行われる不都合を事前に防止することができる。
【００７７】
［実施の形態の効果］
以上の説明から明らかなように、この実施の形態のデータ検索システムは、携帯電話機１の大容量メモリ１３に記憶しているデータと同じデータを、ユーザの自宅のパーソナルコンピュータ装置２のＨＤＤ２２に記憶しておき（＝バックアップしておき）、携帯電話機１の大容量メモリ１３に記憶されているデータの中から所望のデータを検索する際に、この検索を行うデータに対応する検索式をパーソナルコンピュータ装置２に送信する。そして、パーソナルコンピュータ装置２側で、上記検索式に対応するデータをＨＤＤ２２から検索し、この検索結果を携帯端末装置１に返信する。
【００７８】
すなわち、携帯電話機１側で行うべき検索処理をパーソナルコンピュータ装置２側で代行して行い、検索したデータを携帯電話機１に返信するのではなく、検索したデータを携帯電話機１の大容量メモリ１３から読み出すためのアドレスやパス等の検索結果を携帯端末装置１に返信する。そして、携帯電話機１側では、このパーソナルコンピュータ装置２からの検索結果を表示部１４に表示し、ユーザから実行が指定された際に、この検索結果に対応するデータの処理を実行する。
【００７９】
これにより、パーソナルコンピュータ装置２側の制御部２６等の処理速度は、携帯電話機１の制御部１９等の処理速度よりも高速であり、検索処理も高速に行われることとなるため、携帯電話機１側では極短時間で所望のデータの検索結果を得ることができる。
【００８０】
また、このパーソナルコンピュータ装置２側の制御部２６は、検索したデータを携帯電話機１に返信するのではなく、例えば検索したデータが記憶されているアドレスや、検索したデータまでのパスを、上記「検索結果」として携帯電話機１に返信するようになっているため、携帯電話機１とパーソナルコンピュータ装置２との間の通信回線が低速通信回線である場合でも、上記「検索要求」の受信、及び上記「検索結果」の送信を高速で行うことができる。
【００８１】
また、携帯電話機１側で行う検索処理をパーソナルコンピュータ装置２が代行しているため、該検索処理を当該携帯電話機１で行うことによる電力の消費を抑えることができ、低消費電力で所望のデータの検索を行うことができる。
【００８２】
また、検索結果として一つのみのデータが検索された場合は、ユーザがそのデータのデータ処理を指定しなくても自動的にデータ処理を実行する。これにより、ユーザによる面倒なデータ処理の指定操作を省略することができる。
【００８３】
また、検索を希望するデータの検索式を入力する際に、ユーザに対して検索を希望するデータを保存した時刻を示す検索情報保存時刻を入力させ、この検索情報保存時刻と最新のバックアップ時刻とを比較することで、パーソナルコンピュータ装置２に対して検索を実行させる前に、該検索が有効に実行されるか否かを判断するようになっている。このため、検索が有効に実行される可能性が低いにもかかわらず、携帯電話機１とパーソナルコンピュータ装置との間の通信回線を確立してしまい、無駄な通信が行われる不都合を事前に防止することができる。
【００８４】
上述の実施の形態の説明では、本発明では携帯電話機を用いることとしたが、この他、ＰＨＳ電話機（PHS：Personal Handyphone System）、ＰＤＡ装置（PDA：Personal Digital Assistant），ノート型のパーソナルコンピュータ装置等の他の携帯端末装置を用いるようにしてもよい。この場合でも上述と同様の効果を得ることができる。
【００８５】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００８６】
【図１】本発明を適用した第１の実施の形態となるデータ検索システムのブロック図である。
【図２】実施の形態のデータ検索システムに用いられる携帯電話機側の検索動作の前半の流れを示すフローチャートである。
【図３】実施の形態のデータ検索システムに用いられる携帯電話機側の検索動作の後半の流れを示すフローチャートである。
【図４】実施の形態のデータ検索システムに用いられる携帯電話機側の検索動作の変形例を説明するためのフローチャートである。
【符号の説明】
【００８７】
１  携帯電話機、２  パーソナルコンピュータ装置、３  ネットワーク、４  無線基地局、１１  携帯電話機のアンテナ、１２  携帯電話機の通信回路、１３  携帯電話機の大容量メモリ、１４  携帯電話機の表示部、１５  携帯電話機の操作部、１６  携帯電話機のメモリ、１７  携帯電話機の電源回路、１８  携帯電話機の通信環境検出部、１９  携帯電話機の制御部、２１  パーソナルコンピュータ装置の通信回路、２２  パーソナルコンピュータ装置のハードディスクドライブ、２３  パーソナルコンピュータ装置のメモリ、２４  パーソナルコンピュータ装置の検索部、２５  パーソナルコンピュータ装置のインターフェイス、２６  パーソナルコンピュータ装置の制御部、３０  クレードル装置
【図１】
2007049605.tif 000003
【図２】
2007049605.tif 000004
【図３】
2007049605.tif 000005
【図４】
2007049605.tif 000006